(57)【要約】【課題】トリガー式噴出器を大型化することなく、トリガー式噴出器を把持したときの安定性を向上させて操作性を向上させることを目的とする。【解決手段】容器１０の口部に装着される噴出器本体２と、噴出器本体２を覆うシュラウド３と、が備えられ、噴出器本体２の前端部分に、ノズル５が設けられているとともに前後方向に揺動可能なトリガー６が垂下されており、トリガー６を後方に揺動させることで容器１０内の内溶液がノズル５から噴出されるトリガー式噴出器１において、シュラウド３の後部には、シュラウド３の上側に被せられる第一位置と、シュラウド３の下側部分に配置される第二位置と、の間で、横方向に延在する軸線Ｓ回りに回転可能な保持部材４が装着され、第二位置に配置された保持部材４の少なくとも一部は、シュラウド３の後方に向けて突出される。【選択図】図４
2010051925.tif 000002
【特許請求の範囲】
【請求項１】
容器口部に装着される噴出器本体と、該噴出器本体を覆うシュラウドと、が備えられ、
前記噴出器本体の前端部分に、ノズルが設けられているとともに前後方向に揺動可能なトリガーが垂下されており、
該トリガーを後方に揺動させることで前記容器内の内溶液が前記ノズルから噴出されるトリガー式噴出器において、
前記シュラウドの後部には、前記シュラウドの上側に被せられる第一位置と、前記シュラウドの下側部分に配置される第二位置と、の間で、横方向に延在する軸線回りに回転可能な保持部材が装着され、
前記第二位置に配置された前記保持部材の少なくとも一部は、前記シュラウドの後方に向けて突出されることを特徴とするトリガー式噴出器。
【請求項２】
請求項１記載のトリガー式噴出器において、
前記保持部材は、前記シュラウドの横方向に突出されていることを特徴とするトリガー式噴出器。
【発明の詳細な説明】
【技術分野】
【０００１】
本発明は、トリガー式噴出器に関するものである。
【背景技術】
【０００２】
この種のトリガー式噴出器として、従来、例えば下記特許文献１に示されているような、容器口部に装着される噴出器本体と、噴出器本体を覆うシュラウドと、が備えられた構成が知られている。上記した噴出器本体の前端部分には、容器内の内溶液を噴出させるノズルが設けられているとともに、前後方向に揺動可能なトリガーが垂下されている。また、上記したシュラウドの後部は、噴出器本体の装着部（キャップ部分）よりも後方側に向けて突出されている。このような構成のトリガー式噴出器では、シュラウドの下方部分（キャップ部分）を把持するとともにトリガーに人差し指を掛け、その人差し指でトリガーを後方に揺動させることにより、容器内の内溶液がノズルから噴出される。このようにトリガー式噴出器を使用する際、シュラウドの下方部分を把持する手の甲のうち、親指と人差し指との間の部分の上に、シュラウドの後部の下端面が載せられる。これにより、トリガー式噴出器を把持したときの安定性が増し、操作性を向上させることができる。
【特許文献１】特開２００２−１０２７５６号公報
【発明の開示】
【発明が解決しようとする課題】
【０００３】
ところで、上記した従来のトリガー式噴出器では、シュラウドの後部下端面の面積を大きくすることで、トリガー式噴出器を把持したときの安定性が更に良くなり、操作性をより向上させることができる。しかしながら、シュラウドの後部下端面の面積を大きくすると、トリガー式噴出器が大型化して嵩張るため、店頭での陳列時や使用者による収納時に広いスペースが必要になるという問題がある。
【０００４】
本発明は、上記した従来の問題が考慮されたものであり、トリガー式噴出器を大型化することなく、トリガー式噴出器を把持したときの安定性を向上させて操作性を向上させることができるトリガー式噴出器を提供することを目的としている。
【課題を解決するための手段】
【０００５】
本発明に係るトリガー式噴出器は、容器口部に装着される噴出器本体と、該噴出器本体を覆うシュラウドと、が備えられ、前記噴出器本体の前端部分に、ノズルが設けられているとともに前後方向に揺動可能なトリガーが垂下されており、該トリガーを後方に揺動させることで前記容器内の内溶液が前記ノズルから噴出されるトリガー式噴出器において、前記シュラウドの後部には、前記シュラウドの上側に被せられる第一位置と、前記シュラウドの下側部分に配置される第二位置と、の間で、横方向に延在する軸線回りに回転可能な保持部材が装着され、前記第二位置に配置された前記保持部材の少なくとも一部は、前記シュラウドの後方に向けて突出されることを特徴としている。
【０００６】
このような特徴により、使用前のトリガー式噴出器は、保持部材が第一位置に配置されてシュラウドの上側に被せられる。これにより、保持部材がシュラウドの後方に突出されることもなく、トリガー式噴出器が小型になる。一方、使用する際には、まず、横方向に延在する軸回りに保持部材を回転させ、保持部材を第二位置に配置させる。これにより、保持部材は、シュラウドの下側部分に配置されるとともに、保持部材の少なくとも一部がシュラウドの後方側に向けて突出される。次に、シュラウドの下方部分を把持するとともに、トリガーに人差し指を掛ける。このとき、シュラウドの下方部分を把持する手の甲のうち、親指と人差し指との間の部分の上に保持部材が載せられ、この保持部材を介してトリガー式噴出器が手の甲に支持される。この保持部材は、少なくとも一部がシュラウドの後方側に向けて突出されているので、トリガー式噴出器は大面積で支持される。続いて、上記した人差し指でトリガーを引くことで、トリガーが後方に揺動し、ノズルから内溶液が噴出される。
【０００７】
また、本発明に係るトリガー式噴出器は、前記保持部材が、前記シュラウドの横方向に突出されていることが好ましい。
【０００８】
これにより、保持部材の面積が横方向に拡大されるので、シュラウドの下方部分を把持した際のトリガー式噴出器の支持面積が更に拡大される。
【発明の効果】
【０００９】
本発明に係るトリガー式噴出器によれば、保持部材を第一位置に配置させることによりトリガー式噴出器が小型になり、また、保持部材を第二位置に配置させることにより、使用時におけるトリガー式噴出器の支持面積が拡大されるので、トリガー式噴出器を大型化することなく、トリガー式噴出器を把持したときの安定性を向上させて操作性を向上させることができる。
【発明を実施するための最良の形態】
【００１０】
以下、本発明に係るトリガー式噴出器の実施の形態について、図面に基いて説明する。
図１は使用前のトリガー式噴出器１の側面図であり、図２は使用前のトリガー式噴出器１の平面図であり、図３は使用前のトリガー式噴出器１の後面図であり、図４は使用時のトリガー式噴出器１の側面図であり、図５は使用時のトリガー式噴出器１の平面図であり、図６は使用時のトリガー式噴出器１の側面図である。
なお、本発明では、トリガー式噴出器１のノズル５側（図１における左側）を前方とし、その反対側（図１における右側）を後方とする。また、後述するシュラウド３の幅方向、つまり、前後方向に直交する水平方向（図２における縦方向）を横方向とする。
【００１１】
図１から図３に示すように、トリガー式噴出器１は、容器１０内の内溶液を噴出させるための噴出器であり、その概略構成としては、容器１０の口部に装着される噴出器本体２と、噴出器本体２を覆うシュラウド３と、シュラウド３に装着された保持部材４と、を備えている。
【００１２】
噴出器本体２は、その前端部分に設けられたノズル５と、前端部分に垂下された前後方向に揺動可能なトリガー６と、トリガー６の後方に配設されたポンプ７と、容器１０の口部に装着される装着キャップ８と、下端開口部が容器１０内に配置されたパイプ９と、を備えている。また、噴出器本体２には、パイプ９の上端部に連結される上下方向に延在する図示せぬ縦筒部と、縦筒部の上端部から前方に延設されるとともに先端にノズル５が連結され、その内部が上記縦筒部内及びノズル５内にそれぞれ連通した図示せぬ横筒部と、が備えられている。この噴出器本体２では、トリガー６を後方へ揺動させることでポンプ７が作動する。そして、このポンプ７によって、パイプ９の下端から容器１０内の内溶液が吸い上げられ、その内溶液が上記した縦筒部及び横筒部を通ってノズル５に送られ、ノズル５から噴出される。
【００１３】
シュラウド３は、上記したポンプ７、図示せぬ縦筒部及び横筒部をそれぞれ覆う断面視コ字形状の外殻部であり、噴出器本体２の外形（外観）を構成するものである。シュラウド３の前面及び下面はそれぞれ開放されている。このシュラウド３は、上記した装着キャップ８の上方に配設されており、シュラウド３の前端部の前方に上記したノズル５が配設され、また、シュラウド３の前端部の下方に上記したトリガー６が配設されている。詳しく説明すると、シュラウド３は、前後方向に延設されているとともに横方向に間隔をあけて対向配置された左右一対の側壁部３０と、左右一対の側壁部３０の上端部分を閉塞する上壁部３１と、左右一対の側壁部３０の後端部分を閉塞する後壁部３２と、を備えている。また、シュラウド３の後部は上記した装着キャップ８よりも後方に突出されており、このシュラウド３の後部上面は後方側に向かうに従い下向きに傾斜されている。つまり、後壁部３２は、後方側に向かって下向きに傾斜されている。なお、後壁部３２は、シュラウド３の外方（後方斜め上側）に向けて膨出した湾曲形状を成している。
【００１４】
保持部材４は、横方向に延在する軸線Ｓ回りに回転可能な部材であり、シュラウド３の後部に装着されている。この保持部材４は、シュラウド３の後部上面に沿って延在する板部からなり、この保持部材４の横幅Ｌ１はシュラウド３の横幅Ｌ２よりも大きく、保持部材４の横方向の側部（側板部４０）はシュラウド３の横方向両側にそれぞれ突出されている。詳しく説明すると、保持部材４は、横方向に間隔をあけて並列に配設された両側の側板部４０と、両側の側板部４０間を連結する連結板部４１と、両側の側板部４０にそれぞれ突設された両側の支持板部４２と、を備えている。
【００１５】
側板部４０は、シュラウド３の後壁部３２と同様の曲率半径で湾曲した板部であり、シュラウド３の横方向両側（側壁部３０の外側）にそれぞれ配設されている。これら両側の側板部４０は、実質的にシュラウド３の横幅Ｌ２以上の間隔をあけて並設されている。また、側板部４０の上面には、横方向に延在する複数の凸部４３が間隔をあけて並設されている。
【００１６】
連結板部４１は、シュラウド３の上壁部３１に沿って横方向に延在する板部であり、両側の側板部４０の上端（前端）間に架設されている。この連結板部４１と両側の側板部４０とは、図２に示すように平面視略コ字（凹）状を成しており、このコ字状の連結板部４１及び両側の側板部４０の内側には、シュラウド３の後部を通すことが可能となっている。
【００１７】
支持板部４２は、両側の側板部４０の下面にそれぞれ突設された板部であり、側板部４０の内縁（横方向内側の側端）から垂下されているとともにシュラウド３の側壁部３０の外面に沿って延設されている。そして、両側の支持板部４２は、シュラウド３の後部を横方向両側から挟み込むように配設されている。支持板部４２の先端部の内面（シュラウド３の側壁部３０の外面に対向する面）には、軸線Ｓ上に配設された円柱形状の回転軸部４４が突設されている。この回転軸部４４は、シュラウド３の側壁部３０に形成された丸孔状の軸受け３３に軸支されている。なお、回転軸部４４は、軸受け３３の内側に軸線Ｓ回りに回転可能に嵌合されているが、回転軸部４４と軸受け３３とは、保持部材４が任意の回転位置で保持される程度の摩擦力を持って嵌合されている。
【００１８】
上記した構成の保持部材４は、シュラウド３の上側に被せられる第一位置（図１、図２に示す位置）と、シュラウド３の下側部分に配置される第二位置（図４、図５に示す位置）と、の間で回転可能となっている。詳しく説明すると、第一位置における保持部材４は、図１、図２に示すように、湾曲形状の側板部４０がシュラウド３の後壁部３２の上方に配置されているとともに後壁部３２に沿って延在されている。また、連結板部４１の下面がシュラウド３の上壁部３１の後端部に当接されており、前方側（図１における反時計回り）の回転が規制されている。一方、第二位置における保持部材４は、図４、図５に示すように、側板部４０がシュラウド３の後部の下端部分の両側にそれぞれ配置されており、湾曲形状の側板部４０は下向きに膨出した向きに配置されている。また、連結板部４１がシュラウド３の後壁部３２の下端部から後方に向けて突出されているとともに、連結板部４１の基端側（図４における左側）の端面がシュラウド３の後壁部３２の下端部に当接されており、下方側（図４における時計回り）の回転が規制されている。
【００１９】
次に、上記した構成からなるトリガー式噴出器１の作用について説明する。
【００２０】
使用前のトリガー式噴出器１は、図１、図２に示すように、保持部材４が第一位置に配置されてシュラウド３の上側に被せられている。これにより、保持部材４の側板部４０がシュラウド３の後壁部３２に沿って配置されるとともに保持部材４の連結板部４１がシュラウド３の上壁部３１の上に載置された状態となり、保持部材４がシュラウド３の後方に突出されず、トリガー式噴出器１が小型となる。
【００２１】
一方、トリガー式噴出器１を使用する際には、まず、保持部材４を軸線Ｓ回りに後方側に回転させ、図４、図５に示すように、保持部材４を第二位置に配置する。これにより、保持部材４がシュラウド３の後部の下側部分に配置され、保持部材４の連結板部４１がシュラウド３の後端部の下端から後方に向けて突出されるとともに、保持部材４の側板部４０がシュラウド３の後部下端の両側にそれぞれ配置される。
【００２２】
次に、シュラウド３の下方の装着キャップ８を把持するとともに、人差し指をトリガー６に掛ける。このとき、装着キャップ８を把持する手の甲のうち、親指と人差し指との間の部分の上に、シュラウド３（側壁部３０）の後部の下端面、及び、保持部材４の側板部４０及び連結板部４１がそれぞれ載せられ、これら保持部材４及びシュラウド３の後部を介してトリガー式噴出器１が手の甲に支持される。前記した保持部材４は、連結板部４１がシュラウド３の後方に延びているとともに側板部４０が横方向の両側にそれぞれ突出されているので、トリガー式噴出器１は大面積で支持される。
【００２３】
次に、上記した人差し指でトリガー６を引いてトリガー６を後方に揺動させる。これにより、ポンプ７が作動し、容器１０内の内溶液がパイプ９の下端から吸い上げられ、この内溶液が図示せぬ縦筒部及び横筒部を通ってノズル５に送られ、ノズル５から噴出される。
【００２４】
また、上記したトリガー式噴出器１では、保持部材４の回転軸部４４がシュラウド３の軸受け３３に対してある程度の摩擦力を持って嵌合されているので、トリガー式噴出器１を使用する際、図６に示すように、保持部材４が上記した第一位置と第二位置との間の任意の位置に配置されるように保持部材４の回転角度を調整することも可能である。
なお、上述した任意の位置への配置は、回転軸部４４及び軸受け３３を多角形に形成したり、或いは、回転軸部４４及び軸受け３３のそれぞれに形成された係合凸部若しくは係合凹部による凹凸係合などを採用したりして行うこともできる。
【００２５】
上記した構成からなるトリガー式噴出器１によれば、保持部材４を第一位置に配置させることによりトリガー式噴出器１が小型になり、また、その保持部材４を回転させて第二位置に配置させることにより、トリガー式噴出器１を把持した際のトリガー式噴出器１の支持面積が拡大されるので、トリガー式噴出器１を大型化することなく、トリガー式噴出器１を把持したときの安定性が向上し、トリガー式噴出器１の操作性を向上させることができる。
【００２６】
また、上記したトリガー式噴出器１によれば、保持部材４がシュラウド３の横方向の両側にそれぞれ突出されているので、保持部材４の面積が横方向に広くなっている。これにより、装着キャップ８を把持した際のトリガー式噴出器１の支持面積が横方向にも拡大される。したがって、トリガー式噴出器１を把持したときの安定性が特に良く、トリガー式噴出器１の操作性を向上させることができる。
【００２７】
また、上記したトリガー式噴出器１によれば、保持部材４の回転角度を調整し、任意の位置に保持部材４を配置させることが可能であるので、手の大きさ等に応じて保持部材４の回転角度を適宜調整することで、保持部材４が手の甲に合致し、トリガー式噴出器１を把持したときの安定性が更に向上し、トリガー式噴出器１の操作性をより一層向上させることができる。
【００２８】
以上、本発明に係るトリガー式噴出器の実施の形態について説明したが、本発明は上記した実施の形態に限定されるものではなく、その趣旨を逸脱しない範囲で適宜変更可能である。
例えば、上記した実施の形態では、両側の側板部４０と連結板部４１とが平面視コ字状に配設されて側板部４０に支持板部４２が突設された構成からなる保持部材４が備えられており、支持板部４２に突設された回転軸部４４を軸支する軸受け３３がシュラウド３の側壁部３０に形成されているが、本発明の保持部材は、シュラウド３を両側から挟み込む凹形状の保持部材４に限定されず、図７、図８に示すように、シュラウド３の後壁部３２を覆う保持部材であってもよい。詳しく説明すると、シュラウド３の後壁部３２の表面に重ね合わせられる湾曲板状の保持部材１０４が備えられ、この保持部１０４の下端部に配設された回転軸部１４４が、シュラウド３の後壁部３２の下端部に形成された切り欠き状の軸受け１３３に軸支されている。
【００２９】
また、上記した実施の形態では、保持部材４の側板部４０がシュラウド３の横方向両側にそれぞれ突出されているが、本発明は、保持部材の側板部がシュラウド３の横方向の一方側にのみ突出されていてもよく、或いは、保持部材の両側の側板部がシュラウド３の横方向から突出されていなくてもよい。この場合、両側の支持板部４２間に前記側板部が配置され、側板部の横幅をシュラウド３の横幅とほぼ等しくすることができる。例えば、図８に示すように、保持部材１０４の横幅Ｌ１´がシュラウド３の横幅Ｌ２と同一若しくはそれ以下にすることも可能である。
【００３０】
また、上記した実施の形態では、シュラウド３の後部が装着キャップ８の後方に突出されているが、本発明は、シュラウドの後部が後方に突出されていなくてもよい。例えば、シュラウドの後壁部が装着キャップ８の外周面の延長線に形成されていてもよい。この場合、装着キャップ８を把持した際、装着キャップ８を把持した手の甲の上にシュラウドの後部が載せられないが、保持部材４を第二位置に配置させることで手の甲の上に保持部材４が載せられ、この保持部材４を介してトリガー式噴出器が支持される。
【００３１】
また、上記した実施の形態では、保持部材４（連結板部４１や側板部４０）がシュラウド３の後部表面（上壁部３１や後壁部３２）に沿って延在されているが、本発明は、保持部材がシュラウドの後部の表面形状と異なる形状に形成されていてもよい。例えば、湾曲形状のシュラウド３の後壁部３２に対して、く字状に屈曲された保持部材が被せられていてもよい。
また、本発明は、噴出器本体２とシュラウド３とが一体的に形成されていてもよく、或いは、噴出器本体２とシュラウド３とが別体で形成されてシュラウド３を噴出器本体２に被着させてもよい。
【００３２】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００３３】
【図１】本発明の実施の形態を説明するための使用前のトリガー式噴出器の側面図である。
【図２】本発明の実施の形態を説明するための使用前のトリガー式噴出器の平面図である。
【図３】本発明の実施の形態を説明するための使用前のトリガー式噴出器の後面図である。
【図４】本発明の実施の形態を説明するための使用時のトリガー式噴出器の側面図である。
【図５】本発明の実施の形態を説明するための使用時のトリガー式噴出器の平面図である。
【図６】本発明の実施の形態を説明するための使用時のトリガー式噴出器の平面図である。
【図７】本発明の他の実施の形態を説明するための使用前のトリガー式噴出器の側面図である。
【図８】本発明の他の実施の形態を説明するための使用前のトリガー式噴出器の平面図である。
【符号の説明】
【００３４】
１  トリガー式噴出器
２  噴出器本体
３  シュラウド
４  保持部材
５  ノズル
６  トリガー
１０  容器
Ｓ  軸線
【図１】
2010051925.tif 000003
【図２】
2010051925.tif 000004
【図３】
2010051925.tif 000005
【図４】
2010051925.tif 000006
【図５】
2010051925.tif 000007
【図６】
2010051925.tif 000008
【図７】
2010051925.tif 000009
【図８】
2010051925.tif 000010